(57)【要約】【課題】食品が洗浄液体と共に流出せず、十分な洗浄効果が得られるスリット付きキッチンボールを提供する。【解決手段】略お椀状の有底容器であって、該容器の側壁４のうち上縁部２に隣接するスリット領域Ｓに、食品の洗浄液体を排出させるスリットが全周にわたって複数個開口してなるスリット付きキッチンボール１０である。【選択図】図１
0003143113.tif 000002
【実用新案登録請求の範囲】
【請求項１】
略お椀状の有底容器であって、該容器の側壁のうち上縁部に隣接するスリット領域に、食品の洗浄液体を排出させるスリットが全周にわたって複数個開口してなるスリット付きキッチンボール。
【請求項２】
略お椀状の有底容器であって、該容器の側壁のうち上縁部に隣接する領域の周方向に、食品の洗浄液体を排出させるスリットが複数個開口してなるスリット領域と、隣接するスリット領域の間の無孔領域とが形成され、かつ前記スリット領域が少なくとも前記周方向を４等分した位置にそれぞれ存在するスリット付きキッチンボール。
【請求項３】
個々の前記スリットの幅が３ｍｍ以下、長手方向の長さが５０ｍｍ以下、隣接するスリットの間隔が５ｍｍ以下である請求項１又は２に記載のスリット付きキッチンボール。
【請求項４】
個々の前記スリットの長手方向が前記キッチンボールの周方向に平行又は直交する請求項１〜３のいずれかに記載のスリット付きキッチンボール。
【考案の詳細な説明】
【技術分野】
【０００１】
本考案は、調理時等に食品を液体（水等）に浸して洗うためのボールに関する。
【背景技術】
【０００２】
従来、調理時に食品を洗う際には、略半球状のボールに水を溜めて食品を浸漬した後、食品が流出しないようボールの縁に手を添えながら、水を排出していた。
又、豆類や野菜等を入れたボールに流水を少しずつ滴下しながらオーバーフローさせ、漬け置き洗いすることがしばしば行われている。特に、近年では、外国産野菜の残留農薬等の問題もあって、漬け置き洗いを行う回数が増えている。
【０００３】
一方、米の洗浄容器として、洗い桶と回転ブラシとを有するものが開発されている（特許文献１）。
又、従来から、流水や溜め水によって台所用品を洗浄するため、スリット状の排水口を備えた洗い桶が市販されている。又、排水ノブを外側面に設けた洗い桶も開発されている（特許文献１）。
【特許文献１】実用新案登録第３０３９８２６号公報
【特許文献２】実開平６−５８８４７号公報
【考案の開示】
【考案が解決しようとする課題】
【０００４】
しかしながら、従来のボールで、豆類等の小さな粒状物や、水に浮揚する小さな野菜（カイワレ大根等）を洗浄する場合、水とともにこれらの食品が流出するという問題があった。又、食品を漬け置き洗いするため、ボールに流水を少しずつ滴下しながらオーバーフローさせる場合、作業者が目を離している間にオーバーフロー水と共に食品が流出してしまう恐れがあった。
又、特許文献１記載の技術の場合、装置が複雑となり、スペース上やコストの点で汎用性に乏しい。又、台所用品の洗浄用の洗い桶は大型であると共に、底部が平坦で側壁との間に角部があるため、豆類等の小さな食品を洗おうとすると、角部に食品が滞留し、十分な洗浄効果が得られない。
さらに、上記したスリット状の排水口付き洗い桶の場合、スリット領域が桶の一箇所にのみ形成されているため、例えば傾斜面を有する台所シンクに載置した場合、桶の向きによっては傾斜面の下側にスリットが存在しないことがある。従ってこの桶を用いて食品を洗浄した場合、やはり洗浄液体が桶の上縁からオーバーフローしてしまい、この際に食品が洗浄液体と共に流出することになる。
従って、本考案は、食品が洗浄液体と共に流出せず、十分な洗浄効果が得られるスリット付きキッチンボールの提供を目的とする。
【課題を解決するための手段】
【０００５】
上記課題を解決するため、本考案のスリット付きキッチンボールは、略お椀状の有底容器であって、該容器の側壁のうち上縁部に隣接するスリット領域に、食品の洗浄液体を排出させるスリットが全周にわたって複数個開口してなる。
【０００６】
又、本考案のスリット付きキッチンボールは、略お椀状の有底容器であって、該容器の側壁のうち上縁部に隣接する領域の周方向に、食品の洗浄液体を排出させるスリットが複数個開口してなるスリット領域と、隣接するスリット領域の間の無孔領域とが形成され、かつ前記スリット領域が少なくとも前記周方向を４等分した位置にそれぞれ存在する。
【０００７】
個々の前記スリットの幅が３ｍｍ以下、長手方向の長さが５０ｍｍ以下、隣接するスリットの間隔が５ｍｍ以下であることが好ましい。
個々の前記スリットの長手方向が前記キッチンボールの周方向に平行又は直交することが好ましい。
【考案の効果】
【０００８】
本考案によれば、食品が洗浄液体と共に流出せず、十分な洗浄効果が得られる。特に、洗浄液体をボールからオーバーフローさせて食品を洗浄する場合に、本考案が有効である。
【考案を実施するための最良の形態】
【０００９】
以下、本考案の実施形態に係るスリット付きキッチンボールについて、図を参照して説明する。
図１は、本考案の第１の考案に係るスリット付きキッチンボールの一例を示す斜視図である。この図において、スリット付きキッチンボール１０は略お椀状の有底容器であって、上縁部２と、側壁４と、平らな底部６とを備え、上部が開口している。ここで、略お椀状とは、例えば半球状に湾曲した曲面を有したものであり、角部がないものをいう。
スリット付きキッチンボール１０は、ステンレス板等の金属板をプレスし、又はプラスチック成型により製造される。上縁部２は、金属板を折り返し、又はプラスチック成型時にエッジを丸める等により形成されているがこれに限定されない。
【００１０】
側壁４のうち上縁部２に隣接する（スリット）領域Ｓに、スリットが全周にわたって複数個開口している。このスリットは、本考案のスリット付きキッチンボール１０に食品を収容し、食品の洗浄液体（通常、水）をボール内に溜めて食品を洗浄した後、洗浄液体を排出させるためのものである。
本考案においては、上縁部２に隣接するスリット領域Ｓにスリットが開口しているため、洗浄液体が上縁部２より下の位置から排出され、食品がスリットで引っ掛かるため、洗浄液体と共に流出することがない。特に、洗浄液体をオーバーフローさせて洗浄する（例えば漬け置き洗い）際、作業者が常にその場を監視していないので食品が流出しやすく、本考案が有効となる。
又、スリット領域Ｓが上縁部２側に位置しているので、洗浄液体をスリット付きキッチンボール１０の上縁部２に近い水位まで溜めることができ、洗浄効果が高い。
なお、上縁部２に「隣接する」とは、上縁部２の上端から２０ｍｍ以内、好ましくは１０ｍｍ以内、最も好ましくは５ｍｍ以内の距離に、スリット領域Ｓの最上部のスリットの上端が位置することをいう。
【００１１】
又、スリット領域Ｓにおいて、洗浄液体の排出口をスリットとしているため、小さな粒状物や、水に浮揚する小さな野菜（カイワレ大根等）がスリットで引っ掛かり、洗浄液体と共に流出することがない。
【００１２】
図２は、スリット領域Ｓにおける個々のスリットＳｘを示す。図２において、スリットＳｘが長手方向を揃えて離間して配置され、スリット領域Ｓを構成している。
食品の流出を防止する点から、個々のスリットＳｘの幅ｘ１が３ｍｍ以下、かつ長手方向の長さｘ２が５０ｍｍ以下、隣接するスリットの間隔ｘ３が５ｍｍ以下であることが好ましい。幅ｘ１が２ｍｍ以下、かつ長手方向の長さｘ２が２０ｍｍ以下であることがより好ましい。幅ｘ１が２ｍｍ以下、かつ長手方向の長さｘ２が１０ｍｍ以下であることが最も好ましい。
又、スリットを設けたスリット領域Ｓは強度が低くなるため、強度確保の点からも幅ｘ１が３ｍｍ以下、かつ長手方向の長さｘ２が５０ｍｍ以下であることが好ましい。
なお、図１に示す例では、スリットＳｘの長手方向がキッチンボールの周方向に直交しているが、スリットＳｘの長手方向は特に限定されず後述する図３に示すように、スリットＳｘの長手方向をキッチンボールの周方向に平行としてもよい。但し、製造の容易さから、個々のスリットの長手方向がキッチンボールの周方向に平行又は直交することが好ましい。
スリット領域Ｓにおいて、個々のスリットＳｘは、長手方向に一列のみ並んでいてもよいが、図３に示すように長手方向に複数列並んでいてもよい。例えば、長さ５ｍｍのスリットが長手方向に３列並び、その長手方向の間隔を２．５ｍｍとすれば、その方向におけるスリット領域Ｓの長さは２０ｍｍとなる。
【００１３】
第１の考案において、スリット領域Ｓが上縁部２付近の全周にわたって連続して形成されている。このようにすると、例えば傾斜面を有する台所シンクにスリット付きキッチンボール１０を載置した場合であっても、スリット付きキッチンボール１０の向きに関わらず、傾斜面の下側にスリット領域Ｓのスリットが存在する。このため、洗浄液体がスリット領域Ｓのスリットから確実に排出され、食品が洗浄液体と共に流出することがない。
これに対し、スリット領域Ｓが上縁部２付近の周方向の一部にのみ形成されている場合、傾斜面の下側にスリット領域Ｓを向けないと、洗浄液体が上縁部２を乗り越えて排出され、食品も洗浄液体と共に流出することがある。
なお、「全周にわたって」とは、スリットの形成されていない領域（以下「無孔領域」という）が周方向に１０ｍｍ以上存在しないことをいう。
【００１４】
スリット領域Ｓの大きさは特に制限されないが、スリット領域Ｓが上縁部２から底部６に向かって幅３０ｍｍ以下（図１のＬ）で形成されていることが好ましく、幅が１０〜２０ｍｍであると最も好ましい。スリット領域Ｓの幅が３０ｍｍを超えると、洗浄液体の水位が上縁部２より下側となり、洗浄液体の貯留量が少なくなるので、洗浄効果が低下することがある。
【００１５】
図３は、本考案の第２の考案に係るスリット付きキッチンボール１０Ｂの一例を示す斜視図である。この図において、第１の考案と同一の構成については同一の符号を付して説明を省略する。
図３において、上縁部２の周方向に複数の(図では６箇所)無孔領域Ｎが形成され、スリット領域Ｓ２が各無孔領域Ｎで分断されている。上縁部２の周方向における各無孔領域Ｎの長さは、図３では３０ｍｍであり、スリット領域Ｓ２における個々のスリットの長手方向がキッチンボールの周方向に平行となっている。無孔領域Ｎを設けると、洗浄液体の排出効果は若干低下するが、スリット付きキッチンボールの強度が向上する。
【００１６】
第２の考案においては、スリット領域Ｓ２と無孔領域Ｎとが周方向に交互に存在するが、スリット領域Ｓ２が少なくともキッチンボールの周方向を４等分した位置にそれぞれ存在する必要がある。つまり、少なくとも４個のスリット領域Ｓ２を、キッチンボールの周方向を４等分した位置にそれぞれ配置することで、第１の考案と同様、例えば傾斜面を有する台所シンクにスリット付きキッチンボールを載置した場合であっても、スリット付きキッチンボールの向きに関わらず、傾斜面の下側にスリット領域Ｓ２のスリットが存在する。このため、洗浄液体がスリット領域のスリットから確実に排出され、食品が洗浄液体と共に流出することがない。
【００１７】
第２の考案においては、周方向におけるスリット領域Ｓ２の長さは２０〜５０ｍｍであることが好ましく、周方向における無孔領域Ｎの長さは５０ｍｍ以下であることが好ましい。又、スリット領域Ｓ２を形成する大きさ、個々のスリットの長手方向の長さ、幅、間隔等は、第１の考案と同様とすることができる。
【図面の簡単な説明】
【００１８】
【図１】本考案の第１の考案に係るスリット付きキッチンボールの構造の一例を示す図である。
【図２】スリット領域の構造の一例を示す図である。
【図３】本考案の第２の考案に係るスリット付きキッチンボールの構造の一例を示す図である。
【符号の説明】
【００１９】
２            上縁部
４            側壁
６            底部
１０、１０Ｂ  スリット付きキッチンボール
Ｓ、Ｓ２      スリット領域
Ｓｘ          個々のスリット
Ｌ            スリット領域の幅
Ｎ            無孔領域
【図１】
0003143113.tif 000003
【図２】
0003143113.tif 000004
【図３】
0003143113.tif 000005